(57)【要約】  簡単な照明装置の構成により、光の表現性を向上させる。照明装置（１０）は、第１ＬＥＤ（１Ａ）および第２ＬＥＤ（１Ｂ）のそれぞれから発せられる光が投影される対象である投影部と、第１ＬＥＤ（１Ａ）および第２ＬＥＤ（１Ｂ）を制御することにより、光の強度を時間的に変化させる発光制御部（３）と、を備えている。第１ＬＥＤ（１Ａ）および第２ＬＥＤ（１Ｂ）は、当該第１ＬＥＤ（１Ａ）および第２ＬＥＤ（１Ｂ）のそれぞれから発せられる光が投影部において部分的に重なり合う位置に配置されており、投影部における光が重なり合う部分を重なり部として、発光制御部（３）は、当該重なり部の大きさ、位置、または形状の少なくともいずれかが時間的に変化するように、光の強度を変化させる。
2017126369.tif 000002
【特許請求の範囲】
【請求項１】
複数の光源のそれぞれから発せられる光が投影される対象である投影部と、
上記光源を制御することにより、上記光の強度を時間的に変化させる発光制御部と、を備えており、
少なくとも２つの上記光源は、当該光源のそれぞれから発せられる上記光が上記投影部において部分的に重なり合う位置に配置されており、
上記投影部における上記光が重なり合う部分を重なり部として、
上記発光制御部は、上記重なり部の大きさ、位置、または形状の少なくともいずれかが時間的に変化するように、上記光の強度を変化させることを特徴とする照明装置。
【請求項２】
上記光源の個数は、３つ以上であり、
上記光源は、当該光源のそれぞれから発せられる上記光が上記投影部において部分的に重なり合う位置に配置されていることを特徴とする請求項１に記載の照明装置。
【請求項３】
上記発光制御部は、少なくとも２つの上記光源が同時に点灯する期間を設定し、かつ、上記期間において、当該光源のそれぞれから発せられる光の強度を変化させることを特徴とする請求項１または２に記載の照明装置。
【請求項４】
画像を表示する表示部と、
上記発光制御部による上記光源の制御に連動して、上記画像の表示制御を行う表示制御部と、をさらに備えていることを特徴とする請求項１から３のいずれか１項に記載の照明装置。
【請求項５】
上記光源の少なくとも１つは、多色ＬＥＤであり、
上記発光制御部は、上記光の色または強度の少なくともいずれかを所定のタイミングで変化させることを特徴とする請求項１から４のいずれか１項に記載の照明装置。
【請求項６】
上記発光制御部は、乱数アルゴリズムによって上記光の強度を変化させることを特徴とする請求項１から５のいずれか１項に記載の照明装置。
【請求項７】
上記光を拡散させる拡散部をさらに備えており、
上記拡散部は、上記光源と上記投影部との間に配置されていることを特徴とする請求項１から６のいずれか１項に記載の照明装置。
【請求項８】
上記光源と上記投影部とを離間させるスペーサをさらに備えていることを特徴とする請求項１から６のいずれか１項に記載の照明装置。
【請求項９】
上記光源はそれぞれ、仮想的な円周上に配置されていることを特徴とする請求項１から８のいずれか１項に記載の照明装置。
【請求項１０】
上記光源はそれぞれ、仮想的な多角形の頂点上に配置されていることを特徴とする請求項１から８のいずれか１項に記載の照明装置。
【請求項１１】
上記光源はそれぞれ、三次元的に配置されていることを特徴とする請求項１から８のいずれか１項に記載の照明装置。
【請求項１２】
上記光源は、立体である支持部材の略角部に位置する面のうち、少なくとも２つの面上に配置されていることを特徴とする請求項１１に記載の照明装置。
【請求項１３】
請求項１から１２のいずれか１項に記載の照明装置を備えていることを特徴とする電子機器。
【発明の詳細な説明】
【技術分野】
【０００１】
本発明は、例えば電子機器に設けられる照明装置に関する。
【背景技術】
【０００２】
近年、照明装置を備えた様々な電子機器（例：携帯端末）が普及している。これらの電子機器において、照明装置から発せられる光は、例えば、ユーザに対する報知（例：メール着信の報知）のために用いられる。特許文献１には、電子機器における発光のイルミネーション効果を向上させることを目的とした照明装置（イルミネーション構造）が開示されている。具体的には、特許文献１の照明装置には、光源からの光を複数の異なる方向に屈折させて出射するイルミネーションレンズが設けられている。
【先行技術文献】
【特許文献】
【０００３】
【特許文献１】日本国公開特許公報「特開２００９−７５６１２号公報（２００９年４月９日公開）」
【発明の概要】
【発明が解決しようとする課題】
【０００４】
但し、特許文献１の照明装置では、光の表現性をさらに向上させるために、イルミネーションレンズに対する光源の相対的な位置を移動させている。それゆえ、例えば、光源の位置を機械的に変化させる手段が必要となり、照明装置の構成が複雑となるという問題があった。本発明の一態様は、上記の問題点に鑑みてなされたものであり、その目的は、簡単な構成により、光の表現性を向上させることが可能な照明装置を実現することにある。
【課題を解決するための手段】
【０００５】
上記の課題を解決するために、本発明の一態様に係る照明装置は、複数の光源のそれぞれから発せられる光が投影される対象である投影部と、上記光源を制御することにより、上記光の強度を時間的に変化させる発光制御部と、を備えており、少なくとも２つの上記光源は、当該光源のそれぞれから発せられる上記光が上記投影部において部分的に重なり合う位置に配置されており、上記投影部における上記光が重なり合う部分を重なり部として、上記発光制御部は、上記重なり部の大きさ、位置、または形状の少なくともいずれかが時間的に変化するように、上記光の強度を変化させる。
【発明の効果】
【０００６】
本発明の一態様に係る照明装置によれば、簡単な構成により、光の表現性を向上させることが可能となるという効果を奏する。
【図面の簡単な説明】
【０００７】
【図１】本発明の実施形態１に係る照明装置の構成を示す機能ブロック図である。
【図２】（ａ）〜（ｃ）は、実施形態１に係る照明装置の発光状態を示す図である。
【図３】第１ＬＥＤおよび第２ＬＥＤから発せられる光が投影部において部分的に重なり合うための条件を説明するための図である。
【図４】（ａ）〜（ｆ）は、実施形態１に係る別の照明装置の発光状態の例を示す図である。
【図５】実施形態１に係る別の発光装置における、第１ＬＥＤ〜第３ＬＥＤの発光制御のシーケンスの例を示す図である。
【図６】本発明の実施形態１の変形例に係る照明装置の構成を示す図である。
【図７】（ａ）〜（ｅ）は、実施形態１に係る照明装置が備えるＬＥＤの配置のバリエーションを示す図である。
【図８】（ａ）〜（ｃ）は、実施形態２における第１ＬＥＤ〜第３ＬＥＤの発光制御シーケンスの例を示す図である。
【図９】（ａ）〜（ｑ）は、図８の発光制御とは別の発光制御を説明する図である。
【図１０】（ａ）〜（ｄ）は、実施形態３に係るスマートフォンによる動画像表示の例を示す図である。
【図１１】（ａ）は、実施形態３に係る電子機器の別の一例としての携帯端末の外観を示す図であり、（ｂ）は、当該電子機器のさらに別の一例としての洗濯機の外観を示す図である。
【発明を実施するための形態】
【０００８】
〔実施形態１〕
以下、本発明の実施形態１について、図１〜図７に基づいて詳細に説明する。はじめに、図１および図２を参照し、本実施形態の照明装置１０の構成について述べる。図１は、照明装置１０の構成を示す機能ブロック図である。また、図２の（ａ）〜（ｃ）はいずれも、照明装置１０の発光状態を示す図である。
【０００９】
（照明装置１０の構成）
図１および図２に示すように、照明装置１０は第１ＬＥＤ（Light Emitting Diode）１Ａ（光源）、第２ＬＥＤ１Ｂ（光源）、発光制御部３、電源４、基板５、拡散部６、および投影部７を備える。第１ＬＥＤ１Ａおよび第２ＬＥＤ１Ｂは、照明装置１０の光源である。一例として、第１ＬＥＤ１Ａおよび第２ＬＥＤ１Ｂはいずれも、赤色光を発する単色ＬＥＤである。以降、必要に応じて、第１ＬＥＤ１Ａおよび第２ＬＥＤ１Ｂを、単にＬＥＤとも表現する。
【００１０】
発光制御部３は、ＬＥＤを制御することにより、当該ＬＥＤのそれぞれから発せられる光の強度を時間的に変化させる。具体的には、発光制御部３は、それぞれのＬＥＤに流れる電流の大きさを制御する。電源４は、ＬＥＤおよび発光制御部３に電力を供給する。基板５は、ＬＥＤを支持する支持部材である。第１ＬＥＤ１Ａおよび第２ＬＥＤ１Ｂは、基板５の同じ面に配置される。
【００１１】
拡散部６は、ＬＥＤから発せられる光を拡散させる。拡散部６は、ＬＥＤと投影部７との間に配置される。拡散部６は、導光板、拡散板、または透明板であってよい。導光板は、アクリル等の透光性を有する樹脂で形成された板状の部材であってよい。拡散板は、アクリル等の樹脂で形成された板状の部材に対してカット加工またはすりガラス状の加工を施したものであってもよい。透明板は、ガラスまたは樹脂等の板であってよい。
【００１２】
投影部７は、ＬＥＤから発せられる光が投影される対象である。図２の（ｂ）に示されるように、ＬＥＤのそれぞれから発せられる光は、投影部７において部分的に重なり合う。投影部７は、ガラスまたは樹脂素材、あるいはそれらが任意の色（例えば白色等）で塗装されて構成される。投影部７は、拡散部６と同じ材料で構成されてもよい。
【００１３】
（ＬＥＤの発光状態）
図２の（ａ）〜（ｃ）に示すように、照明装置１０は、一例として、
・発光状態１ａ：第１ＬＥＤ１Ａだけが発光（図２の（ａ））
・発光状態１ｂ：第１ＬＥＤ１Ａおよび第２ＬＥＤ１Ｂの両方が発光（図２の（ｂ））
・発光状態１ｃ：第２ＬＥＤ１Ｂだけが発光（図２の（ｃ））
という３通りの発光状態を実現することができる。
【００１４】
ここで、発光状態１ａおよび１ｃのそれぞれにおいて、第１ＬＥＤ１Ａから発せられる光（以降、光Ａと称する）および第２ＬＥＤ１Ｂから発せられる光（以降、光Ｂと称する）はそれぞれ、投影部７の異なる位置に投影される。また、発光状態１ｂにおいては、投影部７において光Ａと光Ｂとは部分的に重なり合う。なお、投影部７に投影された光は、投影光とも称される。
【００１５】
（光の重ね合わせのための構成例）
第１ＬＥＤ１Ａおよび第２ＬＥＤ１Ｂは、光Ａと光Ｂとが投影部７において部分的に重なり合うように基板５上に配置されている。図３は、光Ａと光Ｂとが投影部７において部分的に重なり合うための条件を説明するための図である。以下、図３を参照し、当該条件について説明する。図３において、Ｗ：投影部７における光Ａと光Ｂとが重なり合う部分（重なり部）の幅、Ｓ：第１ＬＥＤ１Ａと第２ＬＥＤ１Ｂとの間の距離：、Ｔ：拡散部６の厚さ、θ：放射角である。なお、放射角とは、ＬＥＤから発せられる光が投影部７に到達するまでの拡がりを表わす角度である。
【００１６】
例えば第１ＬＥＤ１Ａの放射角は、第１ＬＥＤ１Ａを含み、かつ投影部７に垂直な平面上において、光Ａによる投影像の両端それぞれを第１ＬＥＤ１Ａと結ぶ線が成す角である。なお、図３では、説明のために、第１ＬＥＤ１Ａと第２ＬＥＤ１Ｂとを結ぶ直線は、紙面に平行であり、第１ＬＥＤ１Ａの放射角と第２ＬＥＤ１Ｂの放射角とは、ともに等しく、また、投影光の形状は、ＬＥＤの光出射位置を頂点とする円錐形状である場合が例示されている。但し、各ＬＥＤの配置、各ＬＥＤの放射角、および投影光の形状は、これらに限定されない。
【００１７】
図３において、幅Ｗは、以下の式（１）、
Ｗ＝２×Ｔ×ｔａｎ（θ／２）−Ｓ  …（１）
によって表される。式（１）において、Ｗ＞０であれば、上述の発光状態１ｂにおいて、光Ａと光Ｂとが投影部７において部分的に重なり合う。すなわち、投影部７に重なり部が形成される。
【００１８】
なお、ＬＥＤを３つ以上備える照明装置（例えば、以下に述べる照明装置１０Ａ）においては、少なくとも２つのＬＥＤのそれぞれから発せられる光が投影部７において部分的に重なり合うように、当該２つのＬＥＤが配置される。すなわち、当該２つのＬＥＤについて、Ｗ＞０となるように発光装置が構成される。なお、後述する光の表現性の観点から、重なり部の面積は、ある程度大きく設定されることが好ましい。一例として、重なり部の面積は、１つのＬＥＤから発せられる光が投影部７に投影される面積（投影面積）の３０％〜５０％程度として設定されてよい。
【００１９】
（発光制御の一例）
次に、照明装置が光源を３つ備える場合の、発光制御のシーケンスの実現例について説明する。なお、上述の照明装置１０との区別のため、当該発光装置を照明装置１０Ａと称する。図４の（ａ）〜（ｆ）はいずれも、照明装置１０Ａの発光状態の例を示す図である。照明装置１０Ａは、上述の照明装置１０において、赤色光を発する単色ＬＥＤである第３ＬＥＤ（光源）１Ｃを付加したものである。なお、図４の（ａ）〜（ｆ）においては、照明装置１０Ａの構成要素のうち、第１ＬＥＤ１Ａ〜第３ＬＥＤ１Ｃ以外については図示を省略している。
【００２０】
照明装置１０Ａにおいて、第１ＬＥＤ１Ａ、第２ＬＥＤ１Ｂ、および第３ＬＥＤ１Ｃは、基板５上の仮想的な三角形の頂点に、この順で時計回りに配置されている。ここで、第３ＬＥＤ１Ｃから発せられる光を光Ｃと称する。第１ＬＥＤ１Ａ〜第３ＬＥＤ１Ｃは、光Ａと光Ｂと光Ｃとが投影部７において部分的に重なり合うように配置されている。
【００２１】
図４の（ａ）〜（ｆ）に示すように、照明装置１０Ａは、一例として、
・発光状態２ａ：第１ＬＥＤ１Ａだけが発光（図４の（ａ））
・発光状態２ｂ：第１ＬＥＤ１Ａおよび第２ＬＥＤ１Ｂが発光（図４の（ｂ））
・発光状態２ｃ：第２ＬＥＤ１Ｂだけが発光（図４の（ｃ））
・発光状態２ｄ：第２ＬＥＤ１Ｂおよび第３ＬＥＤ１Ｃが発光（図４の（ｄ））
・発光状態２ｅ：第３ＬＥＤ１Ｃだけが発光（図４の（ｅ））
・発光状態２ｆ：第３ＬＥＤ１Ｃおよび第１ＬＥＤ１Ａが発光（図４の（ｆ））
という６通りの発光状態を実現することができる。これらの発光状態２ａ〜２ｆを順に繰り返すことで、投影光は投影部７上において時計回りに回転する動きを示す。
【００２２】
図５は、照明装置１０Ａにおける、第１ＬＥＤ１Ａ〜第３ＬＥＤ１Ｃの発光制御のシーケンスの例を示すグラフである。図５において、横軸は時間であり、縦軸は各ＬＥＤから発せられる光の強度（各ＬＥＤの発光強度）である。図５において、光Ａの強度を実線、光Ｂの強度を破線、光Ｃの強度を一点鎖線で示す。なお、当該図示は、以降の図においても同様である。
【００２３】
また、光の強度はＬＥＤに流れる電流にほぼ比例するため、図５の縦軸は各ＬＥＤに流れる電流と読み替えられてもよい。なお、図５において、発光強度（換言すれば電流）の時間的な増加および減少は線形的である。但し、後述の図８に示されるように、発光強度の時間的な増加および減少は非線形的であってもよい。なお、図５および図８において、光の強度の所定の最小値は０として設定されているが、当該最小値は０より大きく設定されてもよい。
【００２４】
以下に述べるように、発光制御部３は、少なくとも２つのＬＥＤが同時に点灯する期間を設定し、かつ、当該期間において、各ＬＥＤの発せられる光の強度を変化させる。当該発光制御によれば、投影部７に重なり部を形成することができるので、投影光によって投影部７に形成される像の形状を変化させることができる。以下、図５のシーケンスについて説明する。
【００２５】
時刻ｔ１において、発光制御部３は、光Ａの強度を最大とし、光Ｂおよび光Ｃの強度を０とする。これにより、時刻ｔ１において発光状態２ａが得られる。続いて、発光制御部３は、光Ａの強度を減少させ、光Ｂの強度を増加させ、光Ｃの強度を０のまま維持する。この結果、時刻ｔ２において、光Ａの強度と光Ｂの強度とが等しくなる。これにより、時刻ｔ２において発光状態２ｂが得られる。
【００２６】
そして、時刻ｔ３において、発光制御部３は、光Ａおよび光Ｃの強度を０とし、光Ｂの強度を最大とする。これにより、時刻ｔ３において発光状態２ｃが得られる。続いて、発光制御部３は、光Ｂの強度を減少させ、光Ｃの強度を増加させ、光Ａの強度を０のまま維持する。この結果、時刻ｔ４において光Ｂの強度と光Ｃの強度とが等しくなる。これにより、時刻ｔ４において発光状態２ｄが得られる。
【００２７】
そして、時刻ｔ５において、発光制御部３は、光Ａおよび光Ｂの強度を０とし、光Ｃの強度を最大とする。これにより、時刻ｔ５において発光状態２ｅが得られる。続いて、発光制御部３は、光Ｃの強度を減少させ、第Ａの強度を増加させ、光Ｂの強度を０のまま維持する。この結果、時刻ｔ６において光Ｃの強度と光Ａの強度とが等しくなる。これにより、時刻ｔ６において発光状態２ｆが得られる。なお、発光状態２ｆの後は、発光状態２ａに戻り同様の処理が繰り返される。これにより、発光状態２ａ〜２ｆが繰り返される。
【００２８】
（照明装置１０および１０Ａの効果）
上述した通り、照明装置１０によれば、発光状態１ａ〜１ｃという３通りの発光状態を実現できる。このとき、発光状態１ａ〜１ｃのそれぞれにおいて、投影部７に投影された光（投影光）によって投影部７に形成される像の形状を変化させることができる。
【００２９】
すなわち、所定の時間周期のもとで、発光状態２を経由して、発光状態１と発光状態３とを切り替えることで、第１ＬＥＤ１Ａおよび第２ＬＥＤ１Ｂの位置を機械的に変化させなくとも、投影光（光の固まり）にあたかも動きを持たせることができる。それゆえ、簡単な構成により、光の表現性を向上させることが可能となる。また、照明装置１０は、光Ａおよび光Ｂのそれぞれを拡散部６により拡散させることで、投影部７における光の重なり合いを、より確実に生じさせることが可能となる。
【００３０】
また、より多くのＬＥＤを備える照明装置によれば、より多様な発光状態を実現できるため、光の表現性をさらに向上させることが可能となる。例えば、３つのＬＥＤを備える照明装置１０Ａによれば、発光状態２ａ〜２ｆという６通りの発光状態を実現できる。
【００３１】
なお、上述の図４および図５に示した３つのＬＥＤを備える照明装置１０Ａの説明では、同時に発光するＬＥＤの数は２つまでであったが、同時に発光するＬＥＤの数はこれに限定されない。発光制御部３は、３つのＬＥＤを同時に発光させるように、各ＬＥＤを制御してもよい。具体的には、発光制御部３は、投影部７における重なり部の大きさ、位置、または形状の少なくともいずれかが時間的に変化するように、各ＬＥＤから発せられる光の強度を変化させればよい。
【００３２】
〔変形例〕
（拡散部を設けない構成）
図６は、本実施形態の変形例に係る照明装置１０Ｂの構成を示す図である。照明装置１０Ｂは、拡散部６が設けられず、各ＬＥＤと投影部７とを離間させるスペーサ８が設けられている点で、照明装置１０と異なる。スペーサ８は、基板５と投影部７との間に設けられる。スペーサ８の高さはＬＥＤの高さより高い。このため、各ＬＥＤと投影部７との間に、スペーサ８の高さと各ＬＥＤの高さとの差に等しい高さ（幅）の空隙が形成される。
【００３３】
このため、光Ａおよび光Ｂは、投影部７へ向けて上記空隙を通過する過程において拡散される。すなわち、空隙を拡散部として機能させることができる。スペーサ８が設けられることにより、拡散部を有体物（部材）として設けない場合であっても、投影部７における光の重なり合いを、より確実に生じさせることが可能となる。
【００３４】
（ＬＥＤのバリエーション）
上述した通り、照明装置１０Ａにおいて、第１ＬＥＤ１Ａ〜第３ＬＥＤ１Ｃはいずれも、赤色光のみを発する単色ＬＥＤである。但し、本発明の一態様に係る照明装置は、２色以上の光を発することが可能な多色ＬＥＤを少なくとも１つ備えていてもよい。例えば、第１ＬＥＤ１Ａ〜３ＬＥＤ１Ｃはいずれも、赤、緑、および青の三色の光を発することが可能な３色ＬＥＤであってもよい。多色ＬＥＤを光源として利用することにより、光の色の切替、および当該光の強度の調整が容易となる。また、第１ＬＥＤ１Ａ〜第３ＬＥＤ１Ｃは、互いに異なる色の光を発するＬＥＤであってもよい。例えば、第１ＬＥＤ１Ａが緑色光を発する緑色ＬＥＤ、第２ＬＥＤ１Ｂが青色光を発する青色ＬＥＤ、第３ＬＥＤ１Ｃが赤色光を発する赤色ＬＥＤであってもよい。
【００３５】
（ＬＥＤの配置のバリエーション）
図３に示されるように、照明装置１０は距離Ｓだけ離れた２個のＬＥＤを備えていた。また、図４に示されるように、照明装置１０Ａは、仮想的な三角形の頂点にそれぞれ配置された３個のＬＥＤを備えていた。但し、本発明の一態様に係る照明装置において、ＬＥＤの個数および配置はこれらに限定されない。図７の（ａ）〜（ｅ）はいずれも、本発明の一態様に係る照明装置が備えるＬＥＤの配置のバリエーションを示す図である。
【００３６】
図７の（ａ）〜（ｄ）は、複数のＬＥＤの二次元的な配置例を示す。図７の（ａ）は、３個のＬＥＤがライン状に、すなわち仮想的な直線上に配置されている例を示す。図７の（ｂ）は、８個のＬＥＤがそれぞれ環状に、すなわち仮想的な円周上に配置されている例を示す。図７の（ｃ）は、５個のＬＥＤが多角形状に、すなわち仮想的な多角形（五角形）の頂点上に配置されている例を示す。図７の（ｄ）は、５個のＬＥＤが任意の位置に配置されている例を示す。図７の（ｂ）および（ｃ）の配置は、光を二次元的に回転させる表現を行うために好適である。
【００３７】
また、本発明に係る照明装置において、複数のＬＥＤはそれぞれ、三次元的に配置されていてもよい。複数のＬＥＤを三次元的に配置することで、三次元的な光の表現を行うことができる。図７の（ｅ）は、直方体の形状を有する支持部材９の３つの面上にＬＥＤが配置されている例を示す図である。図７の（ｅ）に示すように、複数のＬＥＤは、支持部材９の少なくとも２つの面上に配置されてよい。但し、支持部材９の形状は直方体に限定されず、任意の立体形状であればよい。また、複数のＬＥＤは、支持部材９の略角部に位置する面のうち、少なくとも２つの面上に配置されていればよい。当該配置によれば、三次元的な光の表現を行う場合に、ＬＥＤを容易に固定できる。加えて、ＬＥＤと他の部材（特に投影部７）との位置調整が容易となる。
【００３８】
〔実施形態２〕
本発明の実施形態２について、図８および図９に基づいて説明すれば、以下の通りである。なお、説明の便宜上、上記実施形態にて説明した部材と同じ機能を有する部材については、同じ符号を付記し、その説明を省略する。
【００３９】
上述の通り、各ＬＥＤの発光制御のシーケンスは、図５に限定されない。以下、図８を参照し、発光制御のシーケンスのバリエーションについて説明する。図８の（ａ）〜（ｃ）はいずれも、本実施形態における第１ＬＥＤ１Ａ〜第３ＬＥＤ１Ｃの発光制御のシーケンスの例を示すグラフである。
【００４０】
（発光制御の第１の例）
図８の（ａ）には、発光制御の第１の例が示されている。以下に述べるように、当該発光制御によれば、光の情緒的な表現を実現することが可能となる。以下、当該発光制御が、例えば、少なくとも赤および緑の２色の光を発することが可能な多色ＬＥＤを３個、仮想的な三角形の頂点の位置にそれぞれ備える照明装置において実行される場合を例示して説明する。
【００４１】
以下の説明では、３個の多色ＬＥＤをそれぞれ、第４ＬＥＤ、第５ＬＥＤ、および第６ＬＥＤと称する。なお、第４ＬＥＤから発せられる光を光Ａ、第５ＬＥＤから発せられる光を光Ｂ、第６ＬＥＤから発せられる光を光Ｃと称する。なお、初期状態において、光Ａ〜光Ｃの色は、いずれも赤（Ｒ）である。
【００４２】
時刻ｔａ１において、発光制御部３は、光Ａの強度を最大とし、光Ｂおよび光Ｃの強度を０とする。続いて、発光制御部３は、光Ａの強度を減少させ、光Ｂの強度を増加させ、光Ｃの強度を０のまま維持する。
【００４３】
そして、時刻ｔａ２において、発光制御部３は、光Ａおよび光Ｃの強度を０として、光Ｂの強度が最大とする。続いて、発光制御部３は、光Ｂの強度を減少させ、光Ｃの強度を増加させ、光Ａの強度を０のまま維持する。
【００４４】
そして、時刻ｔａ３において、発光制御部３は、光Ｂおよび光Ａの強度を０として、光Ｃの強度を最大とする。また、発光制御部３は、時刻ｔａ３において、光Ａの色を赤から緑（Ｇ）に切り替える。続いて、発光制御部３は、光Ｃの強度を減少させ、光Ａの強度を増加させ、光Ｂの強度を０のまま維持する。
【００４５】
そして、時刻ｔａ４において、発光制御部３は、光Ｃおよび光Ｂの強度を０として、光Ａの強度を最大とする。また、発光制御部は、時刻ｔａ４において、光Ｂの色を赤から緑に切り替える。続いて、発光制御部３は、光Ａの強度を減少させ、第Ｂの強度を増加させ、光Ｃの強度を０のまま維持する。
【００４６】
そして、時刻ｔａ５において、発光制御部３は、光Ａおよび光Ｃの強度を０として、光Ｂの強度を最大とする。また、発光制御部３は、時刻ｔａ５において、光Ｃの色を赤から緑に切り替える。以後同様に、発光制御部３は、各ＬＥＤの発光強度を繰り返し増減させるとともに、各ＬＥＤが発する光の色を変化させる。これにより、投影部７に投影される光を回転させつつ、当該光の色を赤と緑とに交互に変化させることができる。
【００４７】
なお、第４ＬＥＤ〜第６ＬＥＤが赤および緑の２色に加えてさらに別の色の光を発することが可能なＬＥＤである場合には、当該別の色の光も含めて順に光の色を変化させてもよい。なお、上述の図５では、発光制御部３は各ＬＥＤの発光強度を一定の変化率で増減させていた。他方、図８の（ａ）では、発光制御部３は、現時点の発光強度が高いほど発光強度の変化率を大きくするように、発光制御を行っている。
【００４８】
上記のように、発光制御部３は、各ＬＥＤが発する光の強度を順に増減させる。そして、各ＬＥＤが発する光の強度を最小値まで減少させた後に、当該光の色を変更し、当該光の強度を最小値から増加させる。当該発光制御によれば、投影部７上で緩やかに光が動きながら当該光の色が変化する、情緒的な表現を実現することが可能となる。なお、当該発光制御が実行される照明装置の構成は、上記の例に限定されない。すなわち、照明装置が備える複数の光源の少なくとも１つが多色ＬＥＤであれば、当該多色ＬＥＤについて、図８の（ａ）と同様の発光制御を実行することができる。
【００４９】
また、各ＬＥＤから発せられる光の色を変化させるタイミングも、上記の例に限定されない。例えば、各ＬＥＤが発する光の強度を最大値まで増加させた後に、当該光の色を変更し、当該光の強度を最大値から減少させてもよい。また、光の強度を増減させている途中に、当該光の色を変更してもよい。すなわち、発光制御部３は、各ＬＥＤから発せられる光または強度の少なくともいずれかを所定のタイミングで変化させればよい。
【００５０】
（発光制御の第２の例）
図８の（ｂ）には、発光制御の第２の例が示されている。以下に述べるように、当該発光制御によれば、光が生命体のようにうごめく表現を実現することが可能となる。また、３個のＬＥＤの配置および各ＬＥＤが発する光の色については特に限定されない。
【００５１】
以下の説明では、３個のＬＥＤをそれぞれ、第７ＬＥＤ、第８ＬＥＤ、および第９ＬＥＤと称する。なお、第７ＬＥＤから発せられる光を光Ａ、第８ＬＥＤから発せられる光を光Ｂ、第９ＬＥＤから発せられる光を光Ｃと称する。
【００５２】
時刻ｔｂ１において、発光制御部３は、光Ａの強度を最大として、光Ｂおよび光Ｃの強度を０とする。続いて、発光制御部３は、光Ａの強度を減少させ、光Ｂの強度を増加させ、光Ｃの強度を０のまま維持する。そして、時刻ｔｂ２において、発光制御部３は、光Ｂの強度を最大として、光Ｃおよび光Ａの強度を０とする。
【００５３】
時刻ｔｂ２以降、時刻ｔｂ３、時刻ｔｂ４、時刻ｔｂ５、および時刻ｔｂ６において、これら２つの発光状態が繰り返される。図８の（ｂ）に示されるように、時刻ｔｂ３およびｔｂ５では、各ＬＥＤの発光強度は時刻ｔｂ１と同じとなる。他方、時刻ｔｂ４およびｔｂ６では、各ＬＥＤの発光強度は時刻ｔｂ２と同じとなる。
【００５４】
時刻ｔｂ６以降、発光制御部３は、光Ｂの強度を減少させ、光Ｃの強度を増加させ、光Ａの強度を０のまま維持する。そして、時刻ｔｂ７において、発光制御部３は、光Ｃの強度を最大として、光Ａおよび光Ｂの強度を０とする。時刻ｔｂ７以降、時刻ｔｂ８および時刻ｔｂ９のそれぞれにおいて、これら２通りの発光状態が繰り返される。
【００５５】
当該発光制御によれば、投影部７上に投影される光の固まりを、最初は第７ＬＥＤに対応する位置と第８ＬＥＤに対応する位置との間で往復させ、その後に第８ＬＥＤに対応する位置と第９ＬＥＤに対応する位置との間で往復させることができる。それゆえ、投影部７上に投影される光が生命体のようにうごめく表現を実現することが可能となる。
【００５６】
（発光制御の第３の例）
図８の（ｃ）には、発光制御の第３の例が示されている。以下に述べるように、当該発光制御によれば、炎が揺らめくような光の表現を実現することが可能となる。なお、当該発光制御は、３個のＬＥＤを備える照明装置において実行されてよい。また、３個のＬＥＤの配置および各ＬＥＤが発する光の色については特に限定されない。
【００５７】
当該発光制御では、発光制御部３は、１／ｆゆらぎ等の乱数アルゴリズムによって、各ＬＥＤの発光強度を変化させる。これにより、各ＬＥＤの発光強度がランダムに振動するので、炎が揺らめくような光の表現を実現することが可能となる。
【００５８】
（発光制御の別の例）
図９の（ａ）〜（ｑ）はいずれも、図８の（ａ）〜（ｃ）に示した発光制御とは別の例を説明するための図である。図９の（ａ）〜（ｑ）において、実線で描かれた小円はＬＥＤの位置を示し、破線で描かれた円は投影光を示す。また、破線で描かれた円の大きさはＬＥＤの発光強度（複数のＬＥＤが同時に発光している場合には発光強度の和）を示す。それぞれの発光制御において、発光状態の移行によりＬＥＤの点灯および消灯を切り換える場合、ＬＥＤの発光強度は連続的に変化することが望ましい。
【００５９】
（発光制御の第４の例）
まず、発光制御の第４の例について、図９の（ａ）〜（ｅ）を用いて説明する。図９の（ａ）〜（ｅ）は、それぞれ以下の発光状態３ａ〜３ｅ、
・発光状態３ａ：第１ＬＥＤが低い強度で発光（図９の（ａ））
・発光状態３ｂ：第２ＬＥＤが中程度の強度で発光（図９の（ｂ））
・発光状態３ｃ：第３ＬＥＤが高い強度で発光（図９の（ｃ））
・発光状態３ｄ：第１ＬＥＤが中程度の強度で発光（図９の（ｄ））
・発光状態３ｅ：第２ＬＥＤが低い強度で発光（図９の（ｅ））
を示す図である。
【００６０】
当該発光制御においては、発光状態３ａ〜３ｅが、この順番で切り替えられる。また、発光状態３ｅの後は、発光状態３ａに戻り、同様の処理が繰り返される。当該発光制御によれば、投影光を回転させながら、当該投影光の強度を増減させることができる。なお、任意のタイミングで投影光の回転方向を逆転させるように、発光制御を行ってもよい。また、各ＬＥＤが多色ＬＥＤである場合には、シーケンス中の任意のタイミングで光の色を変化させてもよい。
【００６１】
（発光制御の第５の例）
次に、発光制御の第５の例について、図９の（ｆ）〜（ｋ）を用いて説明する。図９の（ｆ）〜（ｋ）は、それぞれ以下の発光状態３ｆ〜３ｋ、
・発光状態３ｆ：第１ＬＥＤが低い強度で発光（図９の（ｆ））
・発光状態３ｇ：第２ＬＥＤが中程度の強度で発光（図９の（ｇ））
・発光状態３ｈ：第１ＬＥＤ〜第３ＬＥＤが高い強度で発光（図９の（ｈ））
・発光状態３ｉ：第１ＬＥＤ〜第３ＬＥＤがさらに高い強度で発光（図９の（ｉ））
・発光状態３ｊ：第１ＬＥＤ〜第３ＬＥＤが中程度の強度で発光（図９の（ｊ））
・発光状態３ｋ：第１ＬＥＤ〜３ＬＥＤの発光強度が０（図９の（ｋ））
を示す図である。
【００６２】
当該発光制御においては、発光状態３ｆ〜３ｋが、この順番で切り替えられる。また、発光状態３ｋの後は、発光状態３ｆに戻り、同様の処理が繰り返される。当該発光制御によれば、投影光を回転させながら各ＬＥＤの発光強度を増加させ、各ＬＥＤの発光強度が所定の値以上になると、全てのＬＥＤの発光強度が等しい状態で発光強度の和を増減させることができる。
【００６３】
（発光制御の第６の例）
次に、発光制御の第６の例について、図９の（ｌ）〜（ｑ）を用いて説明する。図９の（ｌ）〜（ｑ）は、それぞれ以下の発光状態３ｌ〜３ｑ、
・発光状態３ｌ：第１ＬＥＤが発光（図９の（ｌ））
・発光状態３ｍ：第１ＬＥＤおよび第２ＬＥＤが発光（図９の（ｍ））
・発光状態３ｎ：第２ＬＥＤが発光（図９の（ｎ））
・発光状態３ｏ：第２ＬＥＤおよび第３ＬＥＤが発光（図９の（ｏ））
・発光状態３ｐ：第３ＬＥＤが発光（図９の（ｐ））
・発光状態３ｑ：第３ＬＥＤおよび第１ＬＥＤが発光（図９の（ｑ））
を示す図である。
【００６４】
なお、発光状態３ｌ・３ｍにおいて、第１ＬＥＤの発光強度は等しい。また、発光状態３ｎ・３ｏにおいて、第２ＬＥＤの発光強度は等しい。また、発光状態３ｐ・３ｑにおいて、第３ＬＥＤの発光強度は等しい。当該発光制御においては、発光状態３ｌ・３ｍが交互に繰り返される。次に、発光状態３ｎ・３ｏが交互に繰り返される。その後、発光状態３ｐ・３ｑが交互に繰り返される。
【００６５】
当該発光制御によれば、投影光が、（ｉ）第１ＬＥＤに対応する位置から第２ＬＥＤに対応する位置へ向かって膨張と収縮とを繰り返す動きと、（ｉｉ）第２ＬＥＤに対応する位置から第３ＬＥＤに対応する位置へ向かって膨張と収縮とを繰り返す動きと、（ｉｉｉ）第３ＬＥＤに対応する位置から第１ＬＥＤに対応する位置へ向かって膨張と収縮とを繰り返す動きとが、順に表現される。すなわち、投影光（光の固まり）が膨張と収縮とを繰り返しながら移動する動きが表現される。
【００６６】
〔実施形態３〕
本発明の実施形態３について、図１０および図１１に基づいて説明すれば、以下の通りである。図１０の（ａ）〜（ｄ）はいずれも、本実施形態のスマートフォン１００（電子機器）による動画像（画像）表示の例を示す図である。
【００６７】
スマートフォン１００は、画像表示面１００ａ、ディスプレイ１１０（表示部）、および照明装置１０Ａを備える。ディスプレイ１１０および照明装置１０Ａは、画像表示面１００ａ上において隣接して配置されている。スマートフォン１００は、照明装置１０Ａによる光の表現に連動した動画像をディスプレイ１１０に表示させる。以下、スマートフォン１００による動画像表示の例について説明する。なお、ディスプレイ１１０について、照明装置１０Ａと隣接している側を下側、照明装置１０Ａと隣接している側と逆側を上側と称する。
【００６８】
まず、照明装置１０Ａは、上述の図８の（ｃ）の発光制御に基づいて光を発する。そしして、スマートフォン１００は、当該発光制御を行いつつ、ディスプレイ１１０に表示させる動画像を変更する。はじめに、図１０の（ａ）に示すように、スマートフォン１００は、シャボンを模した円Ｃをディスプレイ１１０の下側に表示させる。
【００６９】
次に、図１０の（ｂ）〜（ｄ）に順に示すように、スマートフォン１００は、ディスプレイ１１０上における円Ｃのサイズを拡大し、かつ左右に往復させながら下方から上方へ移動させる。スマートフォン１００は、円Ｃが図１０の（ｄ）に示す位置に到達した後、円Ｃのサイズを時間の経過とともにさらに拡大するとともに、円Ｃの輝度を暗くする。そして、スマートフォン１００は、最終的には円Ｃの表示を消去する。
【００７０】
以上の例によれば、スマートフォン１００は、照明装置１０Ａの発光制御とディスプレイ１１０の表示制御を連動させることで、揺らめく炎から生じたシャボンが膨張および揺動しながら上方へ移動し、最終的に消滅するかのような表現が可能になる。これにより、動画像の表示によって、ユーザの関心をより引き付けることが可能となる。
【００７１】
このように、スマートフォン１００は、照明装置１０Ａによる光の表現と連動した動画像を表示することができる。換言すれば、スマートフォン１００は、照明装置１０Ａの発光制御に連動して、動画像の表示を制御する処理を実行するように構成されている。例えば、照明装置１０Ａに、発光制御部３によるＬＥＤの制御に連動して、画像の表示制御を行う表示制御部を設ければよい。なお、本実施形態では、発光制御部３に表示制御部の機能を併有させている。但し、表示制御部を発光制御部３とは別体として設けてもよい。また、ディスプレイ１１０は、照明装置１０Ａに設けられていてもよい。
【００７２】
なお、スマートフォン１００は、照明装置１０Ａに替えて、本発明の一態様に係る他の照明装置（照明装置１０・１０Ｂ等）を備えていてもよい。また、照明装置１０Ａを設ける位置は、電子機器の製造者が適宜決定してよい。
【００７３】
なお、スマートフォン１００は電子機器の一例であり、本発明の一態様に係る電子装置は、照明装置１０Ａ等を設けることが可能な機器であればよく、スマートフォンに限定されない。図１１の（ａ）は、本発明の一態様に係る電子機器の別の一例としてのタブレット端末等の携帯端末１００Ａ（電子機器）の外観を示す図であり、図１１の（ｂ）は、当該電子機器のさらに別の一例としての洗濯機２００（電子機器）の外観を示す図である。
【００７４】
図１１の（ａ）に示すように、携帯端末１００Ａは、照明装置１０Ａが設けられている位置がスマートフォン１００と異なる。また、図１１の（ｂ）に示すように、洗濯機２００は、照明装置１０Ａを備えている。洗濯機２００は、照明装置１０Ａの発光制御に連動して、所定の処理を実行するように構成されてよい。一例として、所定の処理は、ユーザへの報知動作（例：洗濯の完了を示すアラームを鳴動させる動作）であってよい。これにより、所定の処理をユーザにより確実に認識させることができる。また、本発明の一態様に係る電子機器は、照明装置１０Ａ等を設けることが可能であれば、エアコン、電子レンジ、または掃除機等の家電製品一般であってもよい。
【００７５】
〔ソフトウェアによる実現例〕
照明装置１０・１０Ａ・１０Ｂの制御ブロック（特に発光制御部３）は、集積回路（ＩＣチップ）等に形成された論理回路（ハードウェア）によって実現してもよいし、ＣＰＵ（Central Processing Unit）を用いてソフトウェアによって実現してもよい。後者の場合、照明装置１０・１０Ａ・１０Ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）等を備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７６】
〔まとめ〕
本発明の態様１に係る照明装置（１０）は、複数の光源（第１ＬＥＤ１Ａ，第２ＬＥＤ１Ｂ）のそれぞれから発せられる光が投影される対象である投影部（７）と、上記光源を制御することにより、上記光の強度を時間的に変化させる発光制御部（３）と、を備えており、少なくとも２つの上記光源は、当該光源のそれぞれから発せられる上記光が上記投影部において部分的に重なり合う位置に配置されており、上記投影部における上記光が重なり合う部分を重なり部として、上記発光制御部は、上記重なり部の大きさ、位置、または形状の少なくともいずれかが時間的に変化するように、上記光の強度を変化させる。上記の構成によれば、上述のように、複数の光源のそれぞれの位置を機械的に変化させなくとも、投影部に投影される光（光の固まり）にあたかも動きを持たせることができる。それゆえ、簡単な構成により、光の表現性を向上させることが可能となる。
【００７７】
本発明の態様２に係る照明装置は、上記態様１において、上記光源の個数は、３つ以上であり、上記光源は、当該光源のそれぞれから発せられる上記光が上記投影部において部分的に重なり合う位置に配置されていることが好ましい。上記の構成によれば、光の表現性をさらに向上させることが可能となる。
【００７８】
本発明の態様３に係る照明装置は、上記態様１または２において、上記発光制御部は、少なくとも２つの上記光源が同時に点灯する期間を設定し、かつ、上記期間において、当該光源のそれぞれから発せられる光の強度を変化させることが好ましい。上記の構成によれば、上述のように、投影部に重なり部を形成することができるので、投影部に投影される光によって当該投影部に形成される像の形状を変化させることが可能となる。
【００７９】
本発明の態様４に係る照明装置は、上記態様１から３のいずれか１つにおいて、画像を表示する表示部（ディスプレイ１１０）と、上記発光制御部による上記光源の制御に連動して、上記画像の表示制御を行う表示制御部（発光制御部３）と、をさらに備えていることが好ましい。上記の構成によれば、光源の制御に連像した画像の表示によって、ユーザの関心をより引き付けることが可能となる。
【００８０】
本発明の態様５に係る照明装置は、上記態様１から４のいずれか１つにおいて、上記光源の少なくとも１つは、多色ＬＥＤであり、上記発光制御部は、上記光または強度の少なくともいずれかを所定のタイミングで変化させてよい。上記の構成によれば、光が動きながら当該光の色が変化する、情緒的な光の表現を実現することが可能となる。また、多色ＬＥＤを光源として利用することにより、光の色の切替、および当該光の強度の調整が容易となる。
【００８１】
本発明の態様６に係る照明装置は、上記態様１から５のいずれか１つにおいて、上記発光制御部は、乱数アルゴリズムによって上記光の強度を変化させてよい。上記の構成によれば、１／ｆゆらぎ等の乱数アルゴリズムによって、炎が揺らめくような光の表現を実現することが可能となる。
【００８２】
本発明の態様７に係る照明装置は、上記態様１から６のいずれか１つにおいて、上記光を拡散させる拡散部（６）をさらに備えており、上記拡散部は、上記光源と上記投影部との間に配置されていてよい。上記の構成によれば、投影部に重なり部をより確実に形成することが可能となる。
【００８３】
本発明の態様８に係る照明装置は、上記態様１から６のいずれか１つにおいて、上記光源と上記投影部とを離間させるスペーサ（８）をさらに備えていてもよい。上記の構成によれば、スペーサによって光源と投影部との間の空隙の幅を確保することができるため、当該空隙を拡散部として機能させることが可能となる。
【００８４】
本発明の態様９に係る照明装置は、上記態様１から８のいずれか１つにおいて、上記光源はそれぞれ、仮想的な円周上に配置されていてもよい。上記の構成によれば、光を二次元的に回転させる表現を行うことが可能となる。
【００８５】
本発明の態様１０に係る照明装置は、上記態様１から８のいずれか１つにおいて、上記光源はそれぞれ、仮想的な多角形の頂点上に配置されていてもよい。上記の構成によれば、光を二次元的に回転させる表現を行うことが可能となる。
【００８６】
本発明の態様１１に係る照明装置は、上記態様１から８のいずれか１つにおいて、上記光源はそれぞれ、三次元的に配置されていてもよい。上記の構成によれば、三次元的な光の表現を行うことが可能となる。
【００８７】
本発明の態様１２に係る照明装置は、上記態様１１において、上記光源は、立体である支持部材（９）の略角部に位置する面のうち、少なくとも２つの面上に配置されていることが好ましい。上記の構成によれば、三次元的な光の表現を行う場合に、光源の固定が容易となる。加えて、光源と他の部材（特に投影部）との位置調整が容易となる。
【００８８】
本発明の態様１３に係る電子機器（１００）は、上記態様１から１２のいずれか１つに係る照明装置を備えていることが好ましい。上記の構成によれば、電子機器における光の表現性を向上させることが可能となる。
【００８９】
また、本発明は上述した各実施形態に限定されず、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成できる。
【符号の説明】
【００９０】
１Ａ  第１ＬＥＤ（光源）、１Ｂ  第２ＬＥＤ（光源）、１Ｃ  第３ＬＥＤ（光源）、
３  発光制御部（表示制御部）、６  拡散部、７  投影部、８  スペーサ、
９  支持部材、１０、１０Ａ、１０Ｂ  照明装置、
１００  スマートフォン（電子機器）、１００Ａ  携帯端末（電子機器）
１１０  ディスプレイ（表示部）、２００  洗濯機（電子機器）
【図１】
2017126369.tif 000003
【図２】
2017126369.tif 000004
【図３】
2017126369.tif 000005
【図４】
2017126369.tif 000006
【図５】
2017126369.tif 000007
【図６】
2017126369.tif 000008
【図７】
2017126369.tif 000009
【図８】
2017126369.tif 000010
【図９】
2017126369.tif 000011
【図１０】
2017126369.tif 000012
【図１１】
2017126369.tif 000013
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
複数の光源のそれぞれから発せられる光が投影される対象である投影部と、
上記光源を制御することにより、上記光の強度を時間的に変化させる発光制御部と、を備えており、
少なくとも２つの上記光源は、当該光源のそれぞれから発せられる上記光が上記投影部において部分的に重なり合う位置に配置されており、
上記投影部における上記光が重なり合う部分を重なり部として、
上記発光制御部は、上記重なり部の大きさ、位置、または形状の少なくともいずれかが時間的に変化するように、上記光の強度を変化させ、
画像を表示する表示部と、
上記発光制御部による上記光源の制御に連動して、上記画像の表示制御を行う表示制御部と、をさらに備えていることを特徴とする照明装置。
【請求項２】
上記光源の個数は、３つ以上であり、
上記光源は、当該光源のそれぞれから発せられる上記光が上記投影部において部分的に重なり合う位置に配置されていることを特徴とする請求項１に記載の照明装置。
【請求項３】
上記発光制御部は、少なくとも２つの上記光源が同時に点灯する期間を設定し、かつ、上記期間において、当該光源のそれぞれから発せられる光の強度を変化させることを特徴とする請求項１または２に記載の照明装置。
【請求項４】
上記光源の少なくとも１つは、多色ＬＥＤであり、
上記発光制御部は、上記光の色または強度の少なくともいずれかを所定のタイミングで変化させることを特徴とする請求項１から３のいずれか１項に記載の照明装置。
【請求項５】
上記発光制御部は、乱数アルゴリズムによって上記光の強度を変化させることを特徴とする請求項１から４のいずれか１項に記載の照明装置。
【請求項６】
上記光を拡散させる拡散部をさらに備えており、
上記拡散部は、上記光源と上記投影部との間に配置されていることを特徴とする請求項１から５のいずれか１項に記載の照明装置。
【請求項７】
上記光源と上記投影部とを離間させるスペーサをさらに備えていることを特徴とする請求項１から５のいずれか１項に記載の照明装置。
【請求項８】
上記光源はそれぞれ、仮想的な円周上に配置されていることを特徴とする請求項１から７のいずれか１項に記載の照明装置。
【請求項９】
上記光源はそれぞれ、仮想的な多角形の頂点上に配置されていることを特徴とする請求項１から７のいずれか１項に記載の照明装置。
【請求項１０】
上記光源はそれぞれ、三次元的に配置されていることを特徴とする請求項１から７のいずれか１項に記載の照明装置。
【請求項１１】
上記光源は、立体である支持部材の略角部に位置する面のうち、少なくとも２つの面上に配置されていることを特徴とする請求項１０に記載の照明装置。
【請求項１２】
請求項１から１１のいずれか１項に記載の照明装置を備えていることを特徴とする電子機器。
【国際調査報告】
2017126369.tif 000014
2017126369.tif 000015
2017126369.tif 000016
2017126369.tif 000017